(57)【特許請求の範囲】
【請求項１】
溶融金属が流れるループ状の流路を形成する耐火物と、前記耐火物を被覆する外装ケースと、前記耐火物の内周面に内張りされたブッシングと、前記外装ケース及び前記ブッシングに付設された水冷管と、前記ブッシングで画成された空洞部の中央に配置された誘導加熱コイルと、前記耐火物中に埋設された湯漏れ検知アンテナとを備えるチャンネル型誘導加熱装置の冷却方法であって、
前記水冷管を流れる冷却水の温度が、前記冷却水と前記外装ケース及び前記ブッシングのそれぞれとが熱交換を開始する位置である、前記外装ケース及び前記ブッシングの各入口で４０℃以上、且つ前記冷却水と前記外装ケース及び前記ブッシングのそれぞれとが熱交換を終了する位置である、前記外装ケース及び前記ブッシングの各出口で１００℃未満であることを特徴とする誘導加熱装置の冷却方法。
【発明の詳細な説明】
【技術分野】
【０００１】
本発明は、誘導炉に設置されているチャンネル型誘導加熱装置の冷却方法に関する。
【背景技術】
【０００２】
高炉から出銑した溶融金属はトピードカー（混銑車）や溶銑鍋等を介して転炉（精錬炉）へ供給される。その際、高炉から出銑される溶融金属（以下では、「溶湯」と呼ぶこともある。）の量や転炉での溶鋼生産量の変動により転炉への溶湯供給条件が変動するため、誘導炉に溶湯を一旦貯蔵している。この誘導炉は、貯蔵されている溶湯の保熱及び加熱を行う誘導加熱装置を備えている。
【０００３】
誘導加熱装置には、ループ状の溶湯流路が形成されている。ループ状の溶湯流路（以下では、「湯道」と呼ぶこともある。）で囲まれた領域の中央部には、誘導加熱コイルが巻かれた鉄心が配置されている。誘導加熱コイルを１次回路、湯道を流れる溶湯を２次回路として変圧器回路を構成することにより溶湯の加熱が行われる。
【０００４】
チャンネル型（溝型）の湯道が形成されたチャンネル型（溝型）誘導加熱装置では、電力効率を上げるため、湯道に面する耐火物の厚みを必要最小限の厚みとし、誘導加熱コイルと湯道を可能な限り接近させている。その結果、湯道に面する耐火物の溶損又は亀裂等によって湯漏れが発生した場合、誘導加熱装置を覆う外装ケースや誘導加熱コイルが損傷し、さらに亀裂が成長して誘導加熱装置に付設されている水冷管に到達すると、冷却水と溶湯が反応して水蒸気爆発を誘発する危険性がある。
そのため、湯道に面する耐火物中に湯漏れ検知アンテナを埋め込んでおき、この湯漏れ検知アンテナと溶湯との間に電圧を印加して、耐火物を介して溶湯と湯漏れ検知アンテナとの間に流れる電流を監視することにより、湯漏れ（溶湯の漏洩）を検知することが行われている（例えば、特許文献１〜３参照）。
【０００５】
湯漏れ検知システムの電気回路の場合、平常時は電気抵抗が大きいため、電流は殆ど流れていないが、湯漏れが発生すると、湯漏れ検知アンテナと湯道が短絡して回路が閉じることにより電流が流れ、湯漏れが検知される。このため、例えば湯漏れ検知アンテナから延出するリード線が破損切断等して湯漏れ検知システムに設備的な異常が発生した場合、これに気付かない危険性が高い。そこで、特許文献４では、湯漏れ検知アンテナ１基について２本以上のリード線を引き出しておくことにより、これらのリード線間で電流を導通させてリード線の断線の有無を判定するようにしている。
【先行技術文献】
【特許文献】
【０００６】
【特許文献１】実開昭５３−４８２３１号公報
【特許文献２】特開平９−１３３６０１号公報
【特許文献３】特開２００８−２６７７５８号公報
【特許文献４】特開２００８−１７００６２号公報
【発明の概要】
【発明が解決しようとする課題】
【０００７】
上述したように、湯漏れ検知システムは、耐火物中に埋め込まれた湯漏れ検知アンテナと溶湯との間に電圧を印加することにより、耐火物を介して溶湯と湯漏れ検知アンテナの間に流れる電流を監視し、その電流値の挙動によって湯漏れを判定する。つまり、誘導炉内の溶湯と湯漏れ検知アンテナの間の電気抵抗値が、ある基準値を下回った場合に、湯漏れが発生したと判断するものである。
しかし、この電気抵抗値が低下する要因は湯漏れだけではなく、他の要因によって電気抵抗値が低下し、湯漏れが発生したと誤認する（湯漏れ誤検知）場合がある。具体的には、チャンネル型誘導加熱装置の印加電力を低出力状態（保熱操業）、即ちスクラップや型銑等の冷鉄源を溶解せず、溶湯を維持するのみの最低限の電力のみを印加している状態から高出力状態（加熱操業）、即ち誘導加熱装置の定格出力を用いて最大限の冷鉄源を溶解する状態に移行する際に、一時的に湯漏れ誤検知が起きることがある。
【０００８】
本発明者等は、後述するように、上記湯漏れ誤検知の原因がチャンネル型誘導加熱装置内で生じる結露が原因であることを発見した。そこで、本発明では、チャンネル型誘導加熱装置の冷却方法を改善することにより、保熱操業から加熱操業に移行する際に一時的に発生する湯漏れ誤検知を防止することを目的とする。
【課題を解決するための手段】
【０００９】
本発明者等は、保熱操業から加熱操業に移行する際に一時的に発生する湯漏れ誤検知が、誘導加熱装置内に存在する水分に起因していることを発見した。
誘導加熱装置内には、電力効率を上げるため、必要最小限の厚みとした耐火物を湯道に面して配置し、誘導加熱コイルと湯道を可能な限り接近させている。このため、湯道を構成する耐火物として、ドライスタンプ材（乾式ラミング材とも言う）と呼ばれる、水を添加しない粉粒状の不定形耐火物が適用されることが多い。ドライスタンプ材を適用すると、高温に曝される湯道の稼働面近傍が焼き固まって焼結体となり湯道壁面が形成される。一方、その背面はドライで未焼結な粉粒圧密体の状態が維持される。これにより、焼結体に亀裂が入り当該亀裂に溶湯が浸入（湯漏れの開始）しても、その溶湯の熱によって背面の粉粒圧密体が焼結し、それ以上の湯漏れの進展が阻止される。その結果、外装ケースに達するような湯漏れが回避される。
しかし、ドライスタンプ材を適用する場合でも、誘導加熱装置を構成する耐火物には微量の自由水や結晶水が含まれている。また、誘導加熱装置内には、誘導加熱装置の施工時に大気中に含まれていた水分が閉じ込められている。本発明者等は、これらの水分が湯道近傍の高温部で蒸発し、水冷構造とされている外装ケースやブッシング（湯道を形成する耐火物と誘導加熱コイルとの間に設けられる隔壁）の近傍で結露して付近の耐火物中に湿潤部を形成することにより、外装ケースと湯漏れ検知アンテナとの間の耐火物湿潤部を経由して電気抵抗値が低下することを発見した。
【００１０】
チャンネル型誘導加熱装置は出力（印加電力）が大きいため、外装ケース及びブッシングを水冷構造とし、誘導発熱から外装ケース及びブッシングを保護する場合が多い。一方、湯漏れ検知アンテナは、耐火物の背面近傍、即ち、外装ケース及びブッシングの近傍に埋設される場合が多い。ブッシング及び／又は外装ケースに誘導電流が流れることによるブッシング及び／又は外装ケースの異常発熱を防止するため、ブッシングは外装ケースから電気的に絶縁して設置されることが多いことから、特許文献３に記載のようにブッシング自体に湯漏れ検知アンテナの機能を兼用させる場合もある。
【００１１】
従って、チャンネル型誘導加熱装置が稼働中でも、湯漏れ検知アンテナの近傍は比較的低温が維持されており、チャンネル型誘導加熱装置の湯道を構成する耐火物の稼働面近傍から脱離した水蒸気が湯漏れ検知アンテナの近傍で結露し、外装ケースと湯漏れ検知アンテナとの間の電気抵抗値を低下させる。また、ブッシング自体に湯漏れ検知アンテナの機能を兼用させる場合、湯漏れ検知アンテナ自体を強力に冷却して多量に結露させることと等価となるため、湯漏れ検知アンテナ（即ちブッシング）と耐火物湿潤部の接触抵抗が低下し易くなる。その結果、湯漏れ検知アンテナ（即ちブッシング）と外装ケースの間の絶縁抵抗値が低下し易くなり、湯漏れ誤検知に至る傾向が強い。
【００１２】
一般に、溶湯排出口の耐火物稼働面から炉体鉄皮にかけて架橋するように付着する地金が存在し、該地金によって炉内溶湯と炉体鉄皮との間に電気的な導通が存在することが多い。また、外装ケースは炉体鉄皮にボルト・ナットを用いて強固に締結されるため、外装ケースと炉体鉄皮との間に電気的な導通が存在することが多い。即ち、外装ケースと誘導炉内の溶湯との間に電気的な導通が存在する場合が多い。そのため、外装ケースと湯漏れ検知アンテナとの間の電気抵抗値の低下と、溶湯と湯漏れ検知アンテナとの間の電気抵抗値の低下とが区別できず、湯漏れ誤検知が発生する。
特に、誘導炉を待機状態（保熱操業状態）からスクラップ溶解状態（加熱操業状態）へ移行させる過渡期においては、チャンネル型誘導加熱装置の印加電力が低出力状態から高出力状態へ移行し、チャンネル型誘導加熱装置の湯道を構成する耐火物の稼働面近傍の温度が大きく上昇する。これに伴って、湯道近傍の高温部から発生した水蒸気が湯漏れ検知アンテナの近傍で結露することにより、湯漏れ誤検知が発生する。但し、チャンネル型誘導加熱装置が高出力状態になると、外装ケース及びブッシングの温度も印加電力による発熱等によって上昇するため、概ね１〜６時間後には結露がなくなり、湯漏れ誤検知は解消される。
【００１３】
要するに、保熱操業から加熱操業に移行する際に一時的に発生する湯漏れ誤検知の原因は、チャンネル型誘導加熱装置が低出力状態から高出力状態へ移行して湯道温度が上昇するのに伴って、湯道稼働面近傍から蒸発した水分が、まだ温度上昇していない外装ケース及びブッシングの内面で結露することによるものである。また、高出力状態が続くと、外装ケース及びブッシングの温度も徐々に上昇するため、外装ケース及びブッシングの内面で結露した水分が再び蒸発することにより、湯漏れ誤検知が解消される。
【００１４】
チャンネル型誘導加熱装置に付設される冷却設備は、チャンネル型誘導加熱装置の定格出力に見合った冷却能力を発揮するように設計されるため、低出力状態では冷却過剰となっている。そこで、本発明では、チャンネル型誘導加熱装置の冷却方法を改善することにより、保熱操業から加熱操業に移行する際に一時的に発生する湯漏れ誤検知を防止する。
即ち、本発明は、溶融金属が流れるループ状の流路を形成する耐火物と、前記耐火物を被覆する外装ケースと、前記耐火物の内周面に内張りされたブッシングと、前記外装ケース及び前記ブッシングに付設された水冷管と、前記ブッシングで画成された空洞部の中央に配置された誘導加熱コイルと、前記耐火物中に埋設された湯漏れ検知アンテナとを備えるチャンネル型誘導加熱装置の冷却方法に関するものであって、
前記水冷管を流れる冷却水の温度が、前記冷却水と前記外装ケース及び前記ブッシングのそれぞれとが熱交換を開始する位置である、前記外装ケース及び前記ブッシングの各入口で４０℃以上、且つ前記冷却水と前記外装ケース及び前記ブッシングのそれぞれとが熱交換を終了する位置である、前記外装ケース及び前記ブッシングの各出口で１００℃未満であることを特徴としている。
【００１６】
一般に、チャンネル型誘導加熱装置の外装ケース及びブッシングを冷却する冷却設備では、印加電力の大小にかかわらず、チラー（冷却装置）の設定や冷却水の流量は一定とされている。このため、低出力状態では冷却過剰となっている。一方、低出力状態から高出力状態へ移行すると、外装ケース及びブッシングの近傍では露点が上昇するため、外装ケース及びブッシングの近傍温度が露点より低くなる。その結果、低出力状態から高出力状態へ移行する際に、外装ケース及びブッシングの近傍において結露が発生しやすくなる。
上記現象に対して、本発明では、外装ケース及びブッシングへ供給される冷却水の温度を制御し、低出力状態においても冷却水温度が４０℃以上となるようにする。これにより、低出力状態から高出力状態へ移行する際も、外装ケース及びブッシングの近傍温度が露点より高い温度に維持され、結露の発生が抑制される。なお、冷却水の温度の上限値は沸点（１００℃）未満としている。
【発明の効果】
【００１７】
本発明に係る誘導加熱装置の冷却方法では、外装ケース及びブッシングへ供給される冷却水の温度が低出力状態においても４０℃以上となるように制御するので、外装ケース及びブッシングの近傍における結露の発生が抑制され、保熱操業から加熱操業に移行する際に一時的に発生する湯漏れ誤検知を防止することができる。
【図面の簡単な説明】
【００１８】
【図１】誘導炉の模式図である。
【図２】（Ａ）はチャンネル型誘導加熱装置の平断面図、（Ｂ）はＡ−Ａ矢視断面図である。
【図３】従来の誘導加熱装置の冷却方法を用いた時の外装ケース近傍における耐火物温度及び露点の温度分布を操業状態ごとに示したグラフである。
【図４】本発明の一実施の形態に係る誘導加熱装置の冷却方法を用いた時の外装ケース近傍における耐火物温度及び露点の温度分布を操業状態ごとに示したグラフである。
【発明を実施するための形態】
【００１９】
続いて、添付した図面を参照しつつ、本発明を具体化した実施の形態に付き説明し、本発明の理解に供する。
【００２０】
溶湯（溶融金属）を貯蔵する誘導炉１０は、図１に示すように、両端面が封止された円筒形状とされ、炉体の中心軸が水平となるように支持台２６上に設置されている。誘導炉１０は鉄皮で覆われており、鉄皮の内側には耐火物層が形成されている。
誘導炉１０の両側面下部には、誘導炉１０の中心軸方向に間隔をあけてチャンネル型誘導加熱装置１１（以下では、単に「誘導加熱装置」と呼ぶ。）が複数設置されている（本実施の形態では、片側３基、計６基設置されている。）。また、誘導炉１０の一方の側面には、スクラップを装入するためのスクラップ装入口１２が、他方の側面には、溶湯を投入するための受銑口（図示省略）と溶湯を排出するための出銑口（図示省略）が設けられている。
【００２１】
各誘導加熱装置１１は扁平な角柱状とされ（図２（Ｂ）参照）、誘導炉１０の側面から外方に向けて突出するように設置されている。誘導加熱装置１１は、溶湯が流れる流路１３と、流路１３に面して配置された耐火物１８、１９と、誘導加熱装置１１を覆う鉄製の外装ケース１７と、溶湯を加熱するための誘導加熱手段とを備え（図２（Ａ）参照）、誘導炉１０に貯蔵された溶湯の保熱及び加熱を行う。
【００２２】
流路１３は平面視して略「山」の字状とされ、誘導加熱装置１１の中心軸に沿って形成された中央流路１４と、中央流路１４を挟んで両側部に形成された一対の側部流路１５と、中央流路１４及び一対の側部流路１５と連通する、誘導加熱装置１１の先端部に形成された端部流路１６とから構成されている。誘導炉１０に貯蔵された溶湯は、中央流路１４から誘導加熱装置１１内に流入し、端部流路１６で左右に分岐した後、一対の側部流路１５から誘導炉１０へ向けて流出するループ状の湯道とされている。
【００２３】
中央流路１４と側部流路１５との間に配置された耐火物１９は平面視して「ロ」の字状とされ、耐火物１９の内周面には銅製のブッシング２０が内張りされている（図２（Ａ）参照）。また、ブッシング２０で画成された空洞部２１の中央には、溶湯を加熱するための誘導加熱手段である誘導加熱コイル２２が巻かれた鉄心２３が配置されている。各空洞部２１に配置された鉄心２３は横架材２４によって連結され、立面視して「ロ」の字状のヨークを構成している（図２（Ｂ）参照）。
誘導加熱コイル２２に交流電流を流すことにより、鉄心２３に磁束が発生する。この磁束が、流路１３内を流れる溶湯からなる溶湯電路と鎖交することにより、溶湯電路内に誘導電流が発生し、この誘導電流によるジュール熱により溶湯が加熱される。一般に、１ターンの溶湯電路に発生する誘導電流は大電流となる。
【００２４】
耐火物１８、１９の溶損又は亀裂等による湯漏れ（溶湯の漏洩）を検知するため、外装ケース１７に接する耐火物１８には外装ケース１７に沿って、またブッシング２０に接する耐火物１９にはブッシング２０に沿って、それぞれ湯漏れ検知アンテナ２５が埋設されている。流路１３と外装ケース１７及びブッシング２０との距離、則ち耐火物１８、１９の厚さは各々１００ｍｍ〜４００ｍｍ程度である。
また、外装ケース１７とブッシング２０には、各々を冷却するための水冷管（図示省略）が付設されている。外装ケース１７及びブッシング２０が水冷ジャケットとなっていることが多い。誘導加熱装置１１に付設される水冷設備は、誘導加熱装置１１の定格出力に見合った冷却能力を発揮するように設計されるため、低出力状態では冷却過剰となっている。
【００２５】
次に、本発明の一実施の形態に係る誘導加熱装置の冷却方法について説明する。
耐火物１８、１９はドライスタンプ材あるいは乾式ラミング材と呼ばれる粉粒状の不定形耐火物で構成されており、耐火物１８、１９には微量の自由水や結晶水が含まれている。また、スタンプ材はランマーで打ち込み施工されるため、誘導加熱装置１１の施工に伴って、大気中に含まれる水分が誘導加熱装置１１内に閉じ込められることになる。大気中に含まれる水分は施工時季によって変化するため、誘導加熱装置１１内に閉じ込められる水分量も施工時季によって変化するが、夏の室温・湿度と冬の室温・湿度の間、概ね温度５〜３５℃、湿度４０〜７０％の大気に含まれる水分量と考えてよい。
【００２６】
上述したように、誘導加熱装置１１内には必ず水分が存在しており、この不可避的に存在する水分が湯漏れ誤検知を誘発する。則ち、保熱操業から加熱操業に移行する際に、流路１３の近傍から蒸発した水分が、まだ温度上昇していない外装ケース１７及びブッシング２０の近傍で結露して付近の耐火物中に湿潤部を形成する。その結果、外装ケース１７と湯漏れ検知アンテナ２５との間の耐火物湿潤部を経由して電気抵抗値が低下して湯漏れ誤検知が発生する。
【００２７】
これをさらに詳細に説明する。誘導加熱装置１１では、流路１３内の溶湯を二次コイルとして扱い、二次コイルに流れる電流によって発生するジュール熱によって溶湯を加熱するため、耐火物１８、１９は、流路１３近傍が最も高温となり、水冷されている外装ケース１７及びブッシング２０に接する側が最も低温となる温度分布を示す。
誘導加熱装置１１の出力を低出力状態から高出力状態へ移行させた場合、印加電力により流路１３の温度が上昇する。これに伴って、耐火物１８、１９の温度分布が高温側へシフトするため、誘導加熱装置１１内において水分が液体として存在可能な領域が減少し、耐火物１８、１９内の高温側から追い出された水分は外装ケース１７及びブッシング２０の内面近傍に集積して結露して付近の耐火物中に湿潤部を形成する。その結果、外装ケース１７と湯漏れ検知アンテナ２５との間の耐火物湿潤部を経由して電気抵抗値が低下して湯漏れ誤検知が発生する。
【００２８】
そこで、本実施の形態に係る誘導加熱装置の冷却方法では、水冷管を流れる冷却水の温度が、外装ケース１７及びブッシング２０の各入口（各水冷ジャケットの入口）で４０℃以上、且つ外装ケース１７及びブッシング２０の各出口（各水冷ジャケットの出口）で１００℃未満とする。
【００２９】
図３は、従来の誘導加熱装置の冷却方法を用いた際の外装ケース近傍における耐火物温度及び露点の温度分布を操業状態ごとに示したグラフである。なお、耐火物厚さは１００〜４００ｍｍ、溶湯温度は１３００〜１５００℃とし、実際に操業に使用されている範囲とした。また、炉体の放散熱量は温度によらず一定とした。
図中、Ａ１の線は保熱操業時の耐火物温度を、Ｂの線は加熱操業時の耐火物温度を表している。また、Ｃ１の線は保熱操業から加熱操業に移行する過渡期の耐火物温度であって、出力の上昇速度が速い場合（０．１ＭＷ／分超）を表している。一方、Ａ０の線は保熱操業時の露点を、Ｂ０は加熱操業時の露点を表している。また、Ｃ０は保熱操業から加熱操業に移行する過渡期の露点を表している。
【００３０】
図３より以下のことがわかる。
（ａ）外装ケース１７が冷却されているため、外装ケース１７に近づくほど耐火物温度が低くなっており、保熱操業時における外装ケース１７（耐火物厚み０ｍｍ）の温度は３０℃、加熱操業時における外装ケース１７の温度は４０℃である。保熱操業から加熱操業に移行すると、誘導加熱される流路１３の溶湯温度が上昇し、タイムラグを伴って外装ケース１７の温度も上昇を開始する。
（ｂ）耐火物温度が１００℃以上の領域では、耐火物中の吸着水が蒸発し、水分量が減少する。逆に、耐火物温度が１００℃未満の領域は水分量が多い（露点が高い）。但し、耐火物は通気性を有しているため、水分量に大きな偏りは無いものと考えられる。
（ｃ）加熱操業時は、保熱操業時に比べて１００℃未満の領域が減少するため、１００℃未満の領域の水分量（露点）が上昇する。則ち、保熱操業から加熱操業への移行に伴って、外装ケース１７の近傍では露点が上昇する。
【００３１】
（ｄ）耐火物温度が露点より低い場合、結露する可能性が高い。結露が発生すると、湯漏れ検知アンテナ２５と外装ケース１７との間の耐火物中に湿潤部が形成されるため、これを介することにより湯漏れ検知アンテナ２５と外装ケース１７の間の電気抵抗値が低下し、湯漏れ誤検知の原因となる。保熱操業から加熱操業に急速に移行すると、外装ケース１７に近接する部位の耐火物温度が４０℃へ上昇する前に当該部位の露点が上昇してしまう。このため、外装ケース１７に近接する部位ではＣ１＜Ｃ０となり、一時的に結露が発生して湯漏れ誤検知を引き起こす。
【００３２】
一方、図４は、本実施の形態に係る誘導加熱装置の冷却方法を用いた際の外装ケース近傍における耐火物温度及び露点の温度分布を操業状態ごとに示したグラフである。図中、Ａ２の線は保熱操業時の耐火物温度を、Ｃ２の線は保熱操業から加熱操業に移行する過渡期の耐火物温度であって、出力の上昇速度が速い場合（０．１ＭＷ／分超）を表している。他の線は図３と同様である。また、試験条件も図３と同様である。
【００３３】
図４より以下のことがわかる。
（ｅ）保熱操業から加熱操業に急速に移行した場合でも、外装ケース１７に近接する部位の耐火物温度が常に４０℃以上であるため、Ｃ２＞Ｃ０となり、結露は発生しない。
【００３４】
なお、ブッシング２０近傍においても図３及び図４と同様の現象が発生する。
【００３５】
ここで、本実施の形態に係る誘導加熱装置の冷却方法を実現する具体的なハードウェア構成について二通り挙げておく。
（１）冷却水の温度が４０℃になった時点でチラーがＯＦＦ、冷却水の温度が１００℃になった時点でチラーがＯＮとなるように、サーモスタット等の温度調節器を用いてチラーをＯＮ／ＯＦＦ制御する。
（２）冷却水の一部がチラーを迂回するバイパス経路を設けておく。冷却水の温度が４０℃未満になった場合は、冷却水の一部がバイパス経路を流れるようにすることで、冷却水の温度が４０℃以上となるようにする。
【００３６】
なお、冷却水の流量を抑えると、外装ケース１７及びブッシング２０の各出口における水温は高くなるが、外装ケース１７及びブッシング２０の各入口における水温は高くならない。即ち、外装ケース１７及びブッシング２０の各入口近傍において結露が発生するリスクが残る。但し、外装ケース１７は３０〜４０ｍｍ、ブッシング２０は１０ｍｍ程度の厚みがあるため、その熱抵抗により、冷却水の流量制御のみでも湯漏れ検知アンテナ２５近傍の耐火物温度を４０℃以上に維持することが、条件次第で可能となる可能性はある。
【００３７】
以上、本発明の一実施の形態について説明してきたが、本発明は何ら上記した実施の形態に記載の構成に限定されるものではなく、特許請求の範囲に記載されている事項の範囲内で考えられるその他の実施の形態や変形例も含むものである。
【符号の説明】
【００３８】
１０：誘導炉、１１：チャンネル型誘導加熱装置（誘導加熱装置）、１２：スクラップ装入口、１３：流路、１４：中央流路、１５：側部流路、１６：端部流路、１７：外装ケース、１８、１９：耐火物、２０：ブッシング、２１：空洞部、２２：誘導加熱コイル、２３：鉄心、２４：横架材、２５：湯漏れ検知アンテナ、２６：支持台
【図１】
0005578112.tif 000002
【図２】
0005578112.tif 000003
【図３】
0005578112.tif 000004
【図４】
0005578112.tif 000005